(57)【特許請求の範囲】
【請求項１】
シートが固定される、並列して設けた一対の棒状本体と、
該一対の棒状本体を連結する複数の、屈折可能な屈折部材とよりなり、
上記屈折部材は、同一長さの２本の棒片と、該各棒片の一端部を傾動自在に連結する枢支部とよりなり、上記各棒片の他端部は、それぞれ上記棒状本体に傾動自在に連結され、
上記互いに隣接する屈折部材の枢支部を連結する棒体からなる連結部材を更に有することを特徴とする屋根用のシートパネル枠。
【請求項２】
請求項１に記載のシートパネル枠にシートを固定したことを特徴とする屋根用のシートパネル。
【発明の詳細な説明】
【技術分野】
【０００１】
本発明はシートパネル枠及びシートパネル、特に、折り畳み可能な屋根用のシートパネル枠及びシートパネルに関するものである。
【背景技術】
【０００２】
従来、巨大構造物の屋根を作成するためには、予め工場で、図６及び図７に示すように、例えば、２．５ｍ×２６ｍの矩形はしご状のシートパネル枠１にシート２を固定して、フラットパネル３を作成し、作成された複数のフラットパネル３を、トラックに積んで施工現場まで運び、図８に示すように、上記工場で作成したフラットパネル３を複数連結して、屋根を作るようにしている。
【発明の概要】
【発明が解決しようとする課題】
【０００３】
しかしながら、上記工場で作成したフラットパネル３は、幅を取る為、一度にトラックで運ぶ枚数には制限がある。従って、屋根を作るために必要な枚数のフラットパネル３を施工現場まで運ぶには、複数のトラックが必要であるか、或いは、工場と施工現場をトラックが何度も往復する必要があり、コストや時間がかかって効率が悪かった。
【０００４】
本発明は、上記の欠点を除くようにしたものである。
【課題を解決するための手段】
【０００５】
本発明の屋根用のシートパネル枠は、シートが固定される、並列して設けた一対の棒状本体と、該一対の棒状本体を連結する複数の、屈折可能な屈折部材とよりなり、上記屈折部材は、同一長さの２本の棒片と、該各棒片の一端部を傾動自在に連結する枢支部とよりなり、上記各棒片の他端部は、それぞれ上記棒状本体に傾動自在に連結され、上記互いに隣接する屈折部材の枢支部を連結する棒体からなる連結部材を更に有することを特徴とする。
【０００８】
また、本発明のシートパネルは、上記シートパネル枠にシートを固定したことを特徴とする。
【発明の効果】
【０００９】
本発明によれば、シートパネル枠又はシートパネルを折り畳むことができるので、トラックに多数積み込むことができ、コストや時間の短縮を図ることができる大きな利益がある。
【図面の簡単な説明】
【００１０】
【図１】本発明のシートパネル枠を完全に展開した状態の平面図である。
【図２】本発明のシートパネル枠の折り畳み途中の平面図である。
【図３】本発明のシートパネル枠を完全に折り畳んだ状態の平面図である。
【図４】従来のフラットパネルをトラックに積み込んだ状態を示す背面図である。
【図５】本発明のシートパネル枠をトラックに積み込んだ状態を示す背面図である。
【図６】従来のシートパネル枠の平面図である。
【図７】従来のフラットパネルの平面図である。
【図８】従来のフラットパネルが連結されて形成された屋根の、一部を省略した斜視図である。
【発明を実施するための形態】
【００１１】
以下図面によって本発明の実施例を説明する。
【実施例１】
【００１２】
本発明のシートパネル枠４は、図１乃至図３に示すように、並列して設けた、同一長さの左右一対の、例えばＨ鋼などの棒状本体５、６と、該左右一対の棒状本体５、６間を連結して設けた複数の、屈曲可能な屈折部材７と、互いに隣接する屈折部材７，７を連結する、例えば、丸鋼などの棒体からなる連結部材８とよりなる。
【００１３】
また、上記屈折部材７は、同一長さの２本の棒片７ａ、７ａと、該一方の棒片７ａの一端部と他方の棒片７ａの一端部とを傾動自在に連結する枢支部７ｂとよりなり、また、上記一方及び他方の棒片７ａ、７ａの他端部は、上記左右の棒状本体５、６にそれぞれ傾動自在に連結されている。なお、１本の棒体の中間部を屈折可能とした屈折部材であってもよい。
【００１４】
そして、図１に示すように、上記各屈折部材７の２本の棒片７ａ、７ａが折り畳まれずに、直線状に展開された場合には、上記左右２本の棒状本体５、６は、最大に離間し、また、図３に示すように、上記２本の棒片７ａ、７ａが折り畳まれている場合には、上記左右２本の棒状本体５、６は、最小に接近するように形成されている。
【００１５】
なお、上記屈折部材７の棒片７ａ、７ａは、上記並列した左右２本の棒状本体５、６で構成される平面内において、折り畳まれるように、構成されている。
【００１６】
また、上記連結部材８の一端及び他端は、隣接する屈折部材７，７の上記枢支部７ｂ、７ｂにそれぞれ傾動自在に連結され、該連結部材８により、上記複数の屈折部材７が、同一方向に折り畳まれるようガイドされる。
【００１７】
本発明のシートパネル枠４は上記のような構成であるから、例えば、棒状本体５、６の長さが２６ｍ、直線状に展開した屈折部材７の長さが３．６ｍの、縦横２６ｍ×３．６ｍのシートパネル枠４を工場で作成する。
【００１８】
そして、図１に示すように、展開したシートパネル枠４を、上記一対の棒状本体５、６を接近する方向の押圧することにより、図２に示すように、上記屈折部材７が屈折して、上記一対の棒状本体５、６は接近するようになる。
【００１９】
そして、更に、押圧することにより、図３に示すように、上記屈折部材７は折り畳まれて、上記一対の棒状本体５，６は接触、或いは略接触するまで接近するようになり、例えば、幅方向において、例えば、０．６ｍまで縮小させることができ、これをトラックに積み込み、施工現場まで運ぶようにする。なお、一対の棒状本体５，６が最小に接近した場合、必ずしも、該一対の棒状本体５，６が接触する必要はない。
【００２０】
従来においては、例えば、図４に示すように、トラック９には、折り畳むことができないフラットパネル３を８枚程度しか積み込めなかったものが、本願発明のシートパネル枠４を折り畳むことにより、図５に示すように、１６枚まで積み込めるようになる。
【００２１】
そして、施工現場に運び込まれた、折り畳まれたシートパネル枠４を展開するために、図３に示す状態から、左右一対の棒状本体５、６を重機などにより、互いに離間する方向に引っ張り、図１に示すように、展開するようにする。
【００２２】
なお、上記シートパネル枠４を展開した後は、上記屈折部材７が屈折しないように、枢支部７ｂを固定手段（図示せず）により固定或いは、左右の棒状本体を固定手段（図示せず）により、上記一対の棒状本体５、６が接近しないように、固定するようしてもよい。
【００２３】
そして、展開したシートパネル枠４に、シート２を固定して、シートパネルを形成し、該複数のシートパネルを連結して、屋根を作るようにする。
【００２４】
なお、予め工場で、シート２をシートパネル枠４に固定して、シートパネルを形成し、該シートパネルを折り畳んで、トラックで運び、施工現場で、折り畳まれたシートパネルを展開するようにしてもよい。
【００２５】
本発明のシートパネル枠及びシートパネルによれば、シートパネル枠又はシートパネルを折り畳むことができるので、トラックに多数積み込むことができ、コストや時間の短縮を図ることができる大きな利益がある。
【符号の説明】
【００２６】
１    シートパネル枠
２    シート
３    フラットパネル
４    シートパネル枠
５    棒状本体
６    棒状本体
７    屈折部材
７ａ  棒片
７ｂ  枢支部
８    連結部材
９    トラック
【図１】
0006348476.tif 000002
【図２】
0006348476.tif 000003
【図３】
0006348476.tif 000004
【図４】
0006348476.tif 000005
【図５】
0006348476.tif 000006
【図６】
0006348476.tif 000007
【図７】
0006348476.tif 000008
【図８】
0006348476.tif 000009